(57)【要約】      （修正有）【課題】情報化社会で人の生活状況の情報収集の為に注ぎ込まれる電磁波に対して、ペースのゆったりした、テレビ、ラジオ、新聞から得る情報で十分満足する生活環境で過ごし心のゆとりを求めた時に、好みの環境に変え、ゆとりを得る。【解決手段】アルミニウムの導体を導線とし、室内に置いておくだけで人の生活状況の情報収集の為に注ぎ込まれる多量の電磁波に共振させ、電磁波を直線にし、ただの電磁波に変えることで好みの環境に変え、ゆとりを得ることができる。【選択図】図１
2011250257.tif 000002
【特許請求の範囲】
【請求項１】
遠方での出来事や個人等の生活状況の情報を得る目的で様々な手段を使いデーターベース化されている現在、様々な情報を素早く得ることが出来て便利な一方で、ペースのゆったりした、テレビ、ラジオ、新聞から得る情報で十分満足する生活環境で過ごし心のゆとりを求めた時に室内に置いておくだけで好みの環境を変えることが出来るゆとり発生装置。
【発明の詳細な説明】
【技術分野】
【０００１】
本発明はゆとりを得ることを目的としたものである。
【背景技術】
【０００２】
情報化時代の現在、テレビ、ラジオ、ラジカセなどの家電を使用することで私宅に自然とテレビ、ラジオあるいはラジカセを音として人の目に見え、耳に聞こえるまでの情報を運ぶ電磁波が集まる。
【０００３】
それと共に外部から個人の生活状況を知ろうとする目的で遠隔から情報収集が可能で情報を運ぶことの出来る電磁波で更に私室が埋め尽くされる。
【先行技術文献】
【非特許文献】
【０００４】
【非特許文献１】吉川  忠久  ３級・４級アマチュア無線技師試験
【非特許文献２】山田  宏尚  デジタル画像処理
【非特許文献３】数研出版編集部  改訂版フォトサイエンス化学図鑑
【発明の概要】
【発明が解決しようとする課題】
【０００５】
そこでこの発明は外から人が人の生活状況の情報収集の為に注ぎ込む電磁波をただの電磁波に変え、好みの環境に変え、ゆとりを得ることを課題とする。
【課題を解決するための手段】
【０００６】
前記課題を解決するためには、この発明は次のような技術的手段を講じている。電磁波とは電界と磁界が互いに直交し、一定の速度で伝播する電気的横波でしかないことから、外周から流れてくる人の生活状況の情報収集の為に注ぎ込む電磁波も、それがただの波であれば好みの環境に変え、ゆとりを得ることが出来る。
【０００７】
大抵電磁波は情報化社会での通信で使うことから、搬送波の高周波に音声信号の低周波が乗った（変調した）高周波で、大抵はそのままでは音として聞くことはできない。
【０００８】
また、音声はそのままでは遠くまで届くことはないことから、耳に聞こえる音声になるということは、変調され、増幅し、復調している音声を聞いていることになる。
【０００９】
そして、人の声を送信するときの変調にはマイクロフォンを使用することが常であるから、公共放送以外の人の遠隔から人の耳に届く音声はマイクロフォンを使用している人の送信といえ、人の生活状況の情報収集の為に注ぎ込む電磁波はマイクロフォンなみの導線となっていることになり、どこから送信しているのかの特定は周波数で判別可能であるが、判別不明の場合が問題で、ただの電磁波の波に変えることで好みの環境に変わる。
【００１０】
人の耳に聞こえる周波数は２０ヘルツから２０キロヘルツであるから、人の耳に聞こえるマイクロフォン使用の音声の波長は、直に耳に聞こえていることから２０ヘルツから２０キロヘルツと考える。
【００１１】
無線局で、送受信で用いられるアンテナは、導線の長さを変えて、使用する電波の周波数に最もよく周りの空気を振動させる（共振）ことを考えることから、電波（電磁波の一種）の速さは光（電磁波の一種）の速さと同じ秒速３０万キロメートルなので、波長は
１５万メートルから１５億メートルとなるからその波長の長さにあわせた導線の長さを共振するのに要していることで、この発明には共振するまでの導線に対応できる材質と長さを必要とする。共振であるから増幅も目的としている。
【００１２】
人が人の生活状況の情報収集の為に注ぎ込む電磁波（電波、光を含む）が私宅に届くには上記にあるように高周波と低周波の変調であるが、電磁波であり、電界と磁界が存在し、そのなんらかの材質が飛んできていることになり、その量は可聴、可視ができる程であるから上記のように音でいうならば１５万メートルから１５億メートルほどの長さ分の量の電磁波が私宅に常に浮遊していることになるが、逆に少しでも電磁波量を減少させることが出来れば電磁波はただの電磁波になり、好みの環境となる。
【００１３】
画像はデジタル化でおおよそ１６７７万色の色の数があり、原色は赤、緑、青の３色が混ざり合い人の目に見える光（電磁波の一種）の波長は約３８０ナノメートルから７８０ナノメートル（ナノは１００万分の１ミリメートル）の電磁波であり、標準的なパソコン画面の画素は横１０２４画素×縦７６８画素の約７８万画素で必要なデータ量は７８万画素×２４ビットの約１８８７万ビットを要しているから上記同様少しでも電磁波量を減少させることが出来れば電磁波はただの電磁波になり、好みの環境となる。
【００１４】
現在、人の生活状況の情報収集の為に注ぎ込む電磁波が私宅に届くには無線技術を駆使しているのであるから、画素であろうと走査線用あるいは特定の周波数に合わせればかなり既製の受信機で受信し、電磁波量を減少させることは当然可能であるが、人の生活状況の情報収集の為に注ぎ込む電磁波の送信者は数も多いことから、数多くの周波数帯域を要し、同様数の受信機を要することも考えられ、電磁波は電界と磁界が存在している為、受信し続ける時に不具合な環境になることも予想されるので、人の生活状況の情報収集の為に注ぎ込む電磁波に対しては平衡を崩す程度に受信機を使用すると良い。
【００１５】
画像はフーリエ変換、逆フーリエ変換から曲線の重ね合わせであるから、直線にすることで、人の生活状況の情報収集の為に注ぎ込む電磁波による画像は画像とならず、ただの電磁波となり好みの環境に変え、ゆとりを得ることができる。
【００１６】
上記のように電磁波には電界と磁界が存在しているから、いかに平衡状態を崩せるかで電磁波による環境を好みに変え、ゆとりを得ることが出来る。そのために共振に必要な導線に対応する量、長さが必要で、この発明の材質には家庭用アルミニウムはくを使用した。
【００１７】
アルミニウムは電気をよく通す性質を持った導体の金属で軽くて、表面が負に帯電し、自由電子が多く存在している。
【００１８】
アルミニウムはくを直線にそこそこに細く馬蹄形磁石に巻きつけ続けると人の生活状況の情報収集の為に注ぎ込まれる電磁波を好みの環境に変え、ゆとりを得ることが出来る。磁界の中に電流の流れるアルミニウムの導線を据えていることで、フレミングの左手の法則が適用されることにより、人の生活状況の情報収集の為に注ぎ込まれる電磁波の平衡状態が崩れることによるものと考えられる。
【発明の効果】
【００１９】
本発明を室内に置くだけで、必要な情報を運ぶだけの電磁波となり、人の生活状況情報収集の為に注ぎ込まれる電磁波を好みの環境に変え、ゆとりを得ることが出来る。
【００２０】
ただし、人の生活状況の情報収集の為に注ぎ込む電磁波送信者がこの発明品を使用すると、一旦は自らが安易に送信した分の被害が生ずる恐れがある。
【図面の簡単な説明】
【００２１】
本発明の形態は直線螺旋構造の共振量であれば自由である。
【図１】本発明の正面図
【図２】本発明の斜視図
【図３】本発明の真横図
【産業上の利用可能性】
【００２２】
本発明は、室内を好みの環境に変え、ゆとりを得ること又は、精神疾患の改善に利用可能である。
【符号の説明】
【００２３】
１、家庭用アルミニウムはく
【図１】
2011250257.tif 000003
【図２】
2011250257.tif 000004
【図３】
2011250257.tif 000005